(57)【要約】【課題】碍子を足場にして支柱を登られることのないようにし、且つ裸電線が外れにくい電気柵の支柱を提供する。【解決手段】害獣侵入防止用の電気柵の支柱において、金属管３４の表面を、突起４２が形成された合成樹脂の皮膜３６によって覆われてなる園芸用の棒状部材３１と、棒状部材３１の裸電線を巻き付ける部位に装着される合成樹脂製の筒状部材３２とを具備する。【選択図】図１
2008259428.tif 000002
【特許請求の範囲】
【請求項１】
害獣侵入防止用の電気柵の支柱において、
金属管の表面を、突起が形成された合成樹脂の皮膜によって覆われてなる園芸用の棒状部材と、
該棒状部材の裸電線を巻き付ける部位に装着される合成樹脂製の筒状部材とを具備することを特徴とする電気柵の支柱。
【請求項２】
前記筒状部材の軸線方向の両端部には、裸電線のズレを防止するためのリング状の突起が設けられていることを特徴とする請求項１記載の電気柵の支柱。
【請求項３】
前記リング状の突起は、前記筒状部材とは別体に形成された合成樹脂製のリング状部材であることを特徴とする請求項２記載の電気柵の支柱。
【請求項４】
前記筒状部材は、熱収縮する材質であり、棒状部材に装着時に熱をかけて棒状部材に密着させることを特徴とする請求項１〜請求項３のうちのいずれか１項記載の電気柵の支柱。
【発明の詳細な説明】
【技術分野】
【０００１】
本発明は、害獣の侵入を防止するための電気柵の支柱に関する。
【背景技術】
【０００２】
近年、猪、猿、鹿、熊などの害獣が畑に侵入して作物を荒らす被害が多発している。
このような害獣の畑への侵入を防止するために畑の周囲を電気柵で囲む提案が従来よりなされている。
【０００３】
従来より知られている電気柵は、支柱と、支柱の間に張り巡らされる裸電線と、裸電線に害獣を撃退するための高電圧を印加をするためのバッテリーとを備えている。
支柱の材質としては、木材や金属が考えられる。しかし、木材を使用すると、裸電線に印加された高電圧が漏電してしまうおそれもあるし、野外に長期間設置するために風雨にさらされて腐食して長期の使用に耐えられないおそれもある。また、支柱を金属製にすることで強度を維持し且つ長期の使用にも耐えられるが、裸電線からの高電圧が漏電するというおそれは解消できない。
【０００４】
そこで、支柱に裸電線を支持させるためには、支柱に絶縁用の碍子を取り付け、この碍子に裸電線を巻き付けるようにしている（例えば、特許文献１、特許文献２参照）。
碍子は合成樹脂などの絶縁体で構成され、支柱に取り付けるための取付部と、裸電線を巻き付けるための巻き付け部とを有している。
【０００５】
【特許文献１】特開２００５−２１８４０６号公報
【特許文献２】特開２００２−２７２３５５号公報
【発明の開示】
【発明が解決しようとする課題】
【０００６】
上述したように従来の電気柵の支柱では、裸電線を支持するための碍子が必要であった。このような構成では、猪や狸といった4本足で歩行する害獣に対しては有効である。
しかし、支柱に碍子を設けると、猿はこの碍子を足場として裸電線に触れずに支柱を登り、畑内に侵入してしまうと言う課題があった。
【０００７】
また、電気柵は、裸電線と地面との間に１万Ｖ程度の高電圧をかけることにより害獣を撃退するものであるが、裸電線が支柱から外れて地面に接触してしまうと害獣撃退効果がなくなってしまう。このような不具合の原因を検討すると、ほとんどの場合、碍子が支柱から外れてしまうことに原因があるということが判明した。
【０００８】
そこで、本発明は上記課題を解決すべくなされ、その目的とするところは、碍子を足場にして支柱を登られることのないようにし、且つ裸電線が外れにくい電気柵の支柱を提供することにある。
【課題を解決するための手段】
【０００９】
本発明は上記目的を達成するため次の構成を備える。すなわち、本発明にかかる電気柵の支柱によれば、害獣侵入防止用の電気柵の支柱において、金属管の表面を、突起が形成された合成樹脂の皮膜によって覆われてなる園芸用の棒状部材と、該棒状部材の裸電線を巻き付ける部位に装着されるゴム製の筒状部材とを具備することを特徴としている。
この構成を採用することによって、支柱に支持させる裸電線は、筒状部材に巻き付けるので、従来の碍子のように、猿にとって足場となるように突出した部分がなく、猿の侵入を防止することができる。また、表面に多数の突起が形成されている園芸用の棒状部材を支柱に採用することで、装着した筒状部材に突起に食い込んで保持されており、筒状部材が棒状部材から外れるようなことがなく、電線が地面に接触してしまうような事故を防止することができる。さらに、園芸用の棒状部材はホームセンターなどで容易に入手することができ、また安価であることから、製造コストが非常に安く済むという効果もある。
【００１０】
また、前記筒状部材の軸線方向の両端部には、裸電線のズレを防止するためのリング状の突起が設けられていることを特徴としてもよい。
この構成によれば、筒状部材の表面に単に巻き付けた場合には、筒状部材の表面から裸電線がズレてしまい、棒状部材に接触してしまうおそれもあるが、筒状部材の両端部にリング状の突起があることで、裸電線はこのリング状の突起の側面に当接して筒状部材の表面からズレないようにすることができる。
【００１１】
さらに、前記リング状の突起は、前記筒状部材とは別体に形成された合成樹脂製のリング状部材であることを特徴としてもよい。
この構成によれば、両端部が肉厚となっている筒状部材を形成するよりもコスト的に有利である。
【００１２】
なお、前記筒状部材は、熱収縮する材質であり、棒状部材に装着時に熱をかけて棒状部材に密着させることを特徴としてもよい。
この構成によれば、棒状部材を筒状部材に挿入して熱をかけるだけで、筒状部材を容易且つ確実に棒状部材に密着させて固定することができる。
【発明の効果】
【００１３】
本発明の電気柵の支柱によれば、支柱を登らせる足場がないので、猿の侵入を防止できるとともに、裸電線の支柱からの脱落事故を減らし、且つコストを削減して低価格で提供することができる。
【発明を実施するための最良の形態】
【００１４】
以下、本発明に係る電気柵の支柱の好適な実施の形態を添付図面に基づいて詳細に説明する。
図１に本実施形態の電気柵の支柱の全体構成図を示し、図２に支柱を構成する棒状部材の一部分の断面を拡大して示す。
支柱３０は、園芸用の棒状部材３１に、合成樹脂製の筒状部材３２を装着して成る。
園芸用の棒状部材３１は、中心に金属管３４が配置され、金属管３４の表面全体に合成樹脂製の被覆３６がなされている。
金属管３４としては、鉄等の金属が筒状に形成されているものであり、また被覆３６はオレフィン系のポリプロピレン等の合成樹脂により構成される。
金属管３４の上部はキャップ３８が装着され、金属管３４内部への水等の異物の侵入を防いでいる。
さらに、金属管３４の下部は先端が尖鋭となったキャップ４０が装着されており、水や土等の異物の金属管３４内部への侵入を防止するとともに、地面に棒状部材３１を突き刺す際に地面に突き刺しやすくしている。
【００１５】
被覆３６は、金属管３４上部のキャップ３８と金属管下部のキャップ４０を覆うように金属管３４に施される。
被覆３６の表面には、複数の突起４２が形成されている。突起４２は、金属管の軸線方向に沿って延びるような突条に形成されており、長さが約５ｍｍ、幅が約２ｍｍ、突出高さが約１ｍｍである。
【００１６】
このような棒状部材３１としては、植物の誘引などに用いられる、いわゆるイボ竹（登録商標）を好適に採用することができる。
【００１７】
棒状部材３１の所定位置（棒状部材に裸電線を支持させる位置）には筒状部材３２を装着する。筒状部材３２は熱収縮性を有する合成樹脂製であり、例えばオレフィン系の合成樹脂材を採用することができる。筒状部材３２は絶縁性が高いものを用いる。例えば、裸電線に、１万Ｖ程度の高電圧をかけた場合であっても、絶縁を維持できる程度の絶縁性が必要である。
【００１８】
筒状部材３２の取り付けは以下の通りである。
まず、棒状部材３１へ筒状部材３２を挿入させる。その後、筒状部材３２を所定位置に保持しつつ、ホットエアーガンなどの加熱機器で筒状部材３２を収縮させる。このため、筒状部材３２は棒状部材３１の所定位置において、ズレないように密着して固定される。また、上述したように棒状部材３１の表面には複数の突起４２が形成されているので、筒状部材３２の収縮時には、この突起４２が筒状部材３２の内壁面に食い込み、さらに筒状部材３２のズレを防止する役割を有する。
【００１９】
以下、支柱の好適な例について、図３に基づいて説明する。
棒状部材３１として、長さ１５０ｃｍ、直径１．５ｃｍのものを採用する。装着する筒状部材３２の長さは、約１０ｃｍであり、厚さは約２ｍｍである。
棒状部材３１は、地中に６０ｃｍほど差し込むことを想定している。棒状部材３１への筒状部材３２の取付位置は、筒状部材３２の中心が地面から約２０ｃｍの部位と、筒状部材３２の中心が地面から約５０ｃｍの部位とする。したがって、棒状部材３１の下部から約８０ｃｍの位置に筒状部材３２の中心が位置するように筒状部材３２を装着し、棒状部材３１の下部から約１１０ｃｍの位置に筒状部材３２の中心が位置するように筒状部材３２を装着する。
【００２０】
図４に、本発明にかかる支柱の他の実施形態について示す。
筒状部材３２の軸線方向の両端部には、裸電線のズレ防止のためのリング状の突起４４を設ける。ここでは、リング状の突起４４は、筒状部材３２とは別体に形成されており、筒状部材３２の外壁面に装着させるものとする。リング状の突起４４も合成樹脂製であり、熱収縮性を有するものであると好適である。
ただし、リング状の突起としては、熱収縮性を有しておらず、ゴムのように弾性を有するものであって弾性力により筒状部材に装着するようにしてもよい。
【００２１】
また、リング状の突起４４は、筒状部材３２と一体に形成されたものであってもよい。この場合、筒状部材３２の両端部が、外周方向に肉厚となる大径部に形成され、この大径部が上述してきたリング状の突起４４に該当する。
【００２２】
図５に、本発明にかかる支柱を複数本束ねた例を示す。
上述してきた実施形態では、支柱を１本の棒状部材３１で構成したものについてのみ説明した。しかし、畑の周囲に設置したときにコーナーに該当する箇所では、力が加わったときに倒れやすい。
このため、特にコーナーなどに用いる支柱については、上述してきた支柱を複数本束ねて使用するとよい。結束手段４６としては、電線などを束ねる際に用いられる結束バンドを用いると好適である。
【００２３】
さらに、支柱の長さが足りないような場合、複数の支柱を上述したような結束手段４６を採用して長さ方向に継ぎ足すようにして束ね、高さ方向を延長させるように設けてもよい。
本発明では、ホームセンターなどで容易に入手できる棒状部材を用いるので、強度に不安がある場合や高さが足りない場合など、容易に且つ低コストで復数本の支柱を結束して強度維持や高さの延長を行える。
【００２４】
以上、本発明につき好適な実施形態を挙げて種々説明したが、本発明はこの実施形態に限定されるものではなく、発明の精神を逸脱しない範囲内で多くの改変を施し得るのはもちろんである。
【図面の簡単な説明】
【００２５】
【図１】本発明に係る電気柵の支柱の全体構成を示す説明図である。
【図２】棒状部材の構造について説明する説明図である。
【図３】本発明の支柱を電気柵に用いた実施例を示す説明図である。
【図４】支柱の他の実施形態の全体構成を示す説明図である。
【図５】支柱を複数本束ねた例を示す説明図である。
【符号の説明】
【００２６】
３０  支柱
３１  棒状部材
３２  筒状部材
３４  金属管
３６  被覆
３８，４０  キャップ
４２  突起
４４  突起
４６  結束手段
【図１】
2008259428.tif 000003
【図２】
2008259428.tif 000004
【図３】
2008259428.tif 000005
【図４】
2008259428.tif 000006
【図５】
2008259428.tif 000007